(57)【要約】【課題】複数の録音装置で録音を行い、各音声信号を合成することで特定方向に指向性を持たせた場合でも、会場内の特定方向以外からの拍手や歓声を高品質に録再現できる音声信号処理システムを提供することを目的とする。【解決手段】少なくとも二つ以上である複数の音声取得手段と、前記音声取得手段の複数の音声信号を合成して特定方向に指向性を制御する指向性制御手段と、特定方向以外に存在する観客音を検出する観客音検出手段と、予め複数の観客音を記録している観客音データベースと、観客音検出手段結果を前記観客音データベースと照合し前記観客音データベースから観客音を選択する観客音選択手段と、前記指向性制御手段結果の音声信号と前記観客音を合成する観客音合成手段と、を有することを特徴とする。【選択図】図１
2015097318.tif 000002
【特許請求の範囲】
【請求項１】
少なくとも二つ以上である複数の音声取得手段と
前記音声取得手段の複数の音声信号を合成して特定方向に指向性を制御する指向性制御手段と
特定方向以外に存在する観客音を検出する観客音検出手段と
予め複数の観客音を記録している観客音データベースと
観客音検出手段結果を前記観客音データベースと照合し前記観客音データベースから観客音を選択する観客音選択手段
前記指向性制御手段結果の音声信号と前記観客音を合成する観客音合成手段
を有することを特徴とする音声信号処理システム。
【請求項２】
撮影会場の反響の音響特性情報により前記観客音を制御する音響特性制御手段
を有することを特徴とする請求項１に記載の音声信号処理システム。
【請求項３】
撮影時の位置情報を取得する位置情報取得手段と
前記位置情報取得手段結果より音響特性を推定する音響特性検索手段
を有することを特徴とする請求項２に記載の音声信号処理システム。
【請求項４】
前記音響特性検索手段が前記位置情報よりネットワーク上から会場の音響特性情報を検索し取得することを特徴とする請求項３に記載の音声信号処理システム。
【請求項５】
前記音響特性検索手段が前記位置情報よりネットワーク上から会場の構造情報を検索しし取得された構造情報から音響特性情報を推定し取得することを特徴とする請求項３に記載の音声信号処理システム
【請求項６】
前記観客音検出手段が音声信号のスペクトル分析手段を有し
前記スペクトル分析結果に基づき観客音を検出することを特徴とする請求項１乃至請求項５の何れか１項に記載の音声信号処理システム。
【請求項７】
前記観客音検出手段が観客音を判断する際に複数の音声信号から観客音が検出された時のみ観客音が含まれると判断することを特徴とする請求項１乃至請求項６の何れか１項に記載の音声信号処理システム。
【請求項８】
前記観客音検出手段が前記音声取得手段のサンプリングレートが各音声手段で異なる場合最もサンプリングレートが大きい音声取得手段の音声信号を用いて観客音を検出することを特徴とする請求項１乃至請求項７の何れか１項に記載の音声信号処理システム。
【請求項９】
少なくとも２つ以上である複数の撮影装置が前記音声取得手段をそれぞれ１つずつ有することを特徴とする請求項１乃至請求項８の何れか１項に記載の音声信号処理システム。
【請求項１０】
・音声取得手段と
・位置情報取得手段と
・音声信号と位置情報を送信する送信手段と
で構成される少なくとも２つ以上である複数の録音装置と、
・前記送信手段からの情報を受信する受信手段と、
・複数の音声信号を合成して特定方向に指向性を制御する指向性制御手段と
・特定方向以外に存在する観客音を検出する観客音検出手段と
・予め複数の観客音を記録している観客音データベースと
・観客音検出手段結果を前記観客音データベースと照合し前記観客音データベースから観客音を選択する観客音選択手段
・前記指向性制御手段結果の音声信号と前記観客音を合成する観客音合成手段
で構成されるクラウドシステムと
を有することを特徴とする音声信号処理システム。
【請求項１１】
撮影会場の反響の音響特性情報により前記観客音を制御する音響特性制御手段を有することを特徴とする請求項１０に記載の音声信号処理システム。
【請求項１２】
少なくとも２つ以上である複数の撮影装置が前記音声取得手段をそれぞれ１つずつ有することを特徴とする請求項１０又は請求項１１に記載の音声信号処理システム。
【発明の詳細な説明】
【技術分野】
【０００１】
本発明は、複数の録音装置で録音した音声に対して信号処理を行う音声信号処理システムに関するものである。
【背景技術】
【０００２】
複数の録音装置を有する撮影装置により、複数の音声信号を合成して操作者が意図する方向に指向性を向ける技術がある。
【０００３】
特許文献１ではマイクアレイの各信号の相互相関に基づいて特定音源からの遅延量を求めることで、各信号の遅延器の遅延量を制御する手法が開示されている。これにより、マイクアレイの各マイクの位置が不定であっても特定方向に指向性を向けることができる。このような技術を用いると、音楽会会場などで複数の観客が録音装置付きの撮影装置で音楽会の様子を撮影した時、各撮影装置の音声信号を合成することで舞台方向に指向性を持った音声を生成することが可能である。
【０００４】
しかしながら、上述の特許文献に開示された従来技術では次のような課題がある。音楽会の会場で撮影を行う場合、観客が拍手をしたり歓声をあげた時でも音声信号の指向性は舞台上を向いているため、拍手音・歓声などの観客側の音声があまり録音されず、会場の臨場感があまり感じられない。
【０００５】
また、特許文献２で開示されている拍手検出を行い、拍手を救出した場合は、指向性を観客側の方向に向けることも考えられる。
【先行技術文献】
【特許文献】
【０００６】
【特許文献１】特開２００９−１４１５６０号公報
【特許文献２】特開２０００−３１５０９４号公報
【発明の概要】
【発明が解決しようとする課題】
【０００７】
しかし、拍手や歓声のあがる位置は様々であり、指向性を一方向に絞ることはできず、合成すると拍手音や歓声が打ち消されたり残響のある不快な音声になってしまうことがある。
【０００８】
そこで本発明では、複数の録音装置で録音を行い、各音声信号を合成することで特定方向に指向性を持たせた場合でも、会場内の特定方向以外からの拍手や歓声を高品質に再現できる音声信号処理システムを提供することを目的とする。
【課題を解決するための手段】
【０００９】
少なくとも二つ以上である複数の音声取得手段と、前記音声取得手段の複数の音声信号を合成して特定方向に指向性を制御する指向性制御手段と、特定方向以外に存在する観客音を検出する観客音検出手段と、予め複数の観客音を記録している観客音データベースと
観客音検出手段結果を前記観客音データベースと照合し前記観客音データベースから観客音を選択する観客音選択手段と、前記指向性制御手段結果の音声信号と前記観客音を合成する観客音合成手段を有することを特徴とする音声信号処理システム。
【発明の効果】
【００１０】
本発明によれば、複数の録音装置で録音を行い、各音声信号を合成することで特定方向に指向性を持たせた場合でも、会場内の観客音を高品質かつ臨場感のある音声として再現することができる。
【図面の簡単な説明】
【００１１】
【図１】音声信号処理システムのブロック図
【図２】撮影装置のブロック図
【図３】複数の撮影装置による会場での撮影を表した模式図
【図４】撮影装置の撮影動作を示すフローチャート
【図５】音声信号処理動作を示すフローチャート
【図６】指向性音声処理動作を示すサブルーチンのフローチャート
【図７】複数の撮影装置が取得した音声信号の模式図
【図８】指向性音声の模式図
【発明を実施するための形態】
【００１２】
以下に、本発明の好ましい実施の形態を、添付の図面に基づいて詳細に説明する。
【００１３】
［実施例１］
以下、図１から図８を参照して、本発明の第１の実施例による、音声信号処理システムについて説明する。
【００１４】
図１は音声信号処理システムを示すブロック図である。１００は録音装置を有する撮影装置を示しており、各撮影装置には撮影した動画情報を送信する通信手段を有している。各撮影装置は様々なユーザーが所有するビデオカメラにあたり、それぞれの機種や機能が異なっていても良い。また、撮影装置１００は１００ａ，ｂ，ｃの３つしか記述していが、さらに複数台あってもよいし、１台又は２台でもよい。クラウドシステム２００は、撮影装置１００からの動画情報を撮影装置信号受信部２０２で受信する。
【００１５】
動画情報の画像信号については画像信号処理部２１２で処理されるが、本実施例は主に音声信号に関する技術であるため詳細については省略する。音声信号については音声処理制御部２０１により制御される。音声処理系は観客音検出部２０４、観客音選択部２０５、観客音データベース２０６、会場音響特性検索部２０７、音響特性制御部２０８、音声合成部２０９から構成され、音声処理制御部２０１により制御される。音声処理制御部２０１及び画像処理部２１０で処理された動画情報はクラウド記録部２１１に記録される。動画情報はユーザー通信部２０３からユーザー端末３００に送信され、再生装置３０２で動画が再生される。また、ユーザー通信部２０３はユーザー指示部３０１からのユーザーの要求指示を受信し音声信号処理部２０１及び画像処理部２１２に指示を伝送する。
【００１６】
図２は音声処理システム２００に動画情報を送信する撮影装置１００であるデジタルビデオカメラを示すブロック図である。撮影装置１００は撮影装置制御部１０１により制御されている。撮影者により操作部１０９から不図示の録画ボタンが押されると録画が開始される。とまず光学系１０２を介して撮像部１０３の撮像面に結像した光学像が撮影画像処理部１０４により画像情報として出力される。光学系１０３である撮影レンズは不図示のフォーカスレンズ駆動部、ズームレンズ駆動部、ブレ補正駆動部、絞り駆動部などを有し、撮影装置制御部１０１により撮影環境及び撮影者の操作に応じて光学系が制御される。
【００１７】
一方、音声取得部１０５では撮影時の音声が取得される。取得された音声は音声処理部１０６により音声信号に変換され、ゲイン調整、ＬＰＦ処理、ＨＰＦ処理等の音声処理が施され出力される。撮像画像処理部１０４及び音声処理部１０６の出力は撮影装置記録部１０７に同期して記録される。表示部１０８には録画中の画像、撮影装置記録部１０７に記録された画像の再生、撮影装置１００の設定メニュー等が表示される。また、撮影装置１００は位置情報取得部１１１であるＧＰＳを有しており、撮影装置１００の現在の位置を取得することができ、動画情報に撮影時の位置情報を付随して記録する。
【００１８】
また、動画情報には不図示の内部タイマーによって撮影時の撮影時間情報が付随し記録される。そして、撮影装置通信部１１０は画像情報、音声情報、位置情報、及び撮影時間情報を含む動画情報を外部の装置に対して送信することができる。
【００１９】
次に、図３〜５を参照して実際の撮影動作及び音声信号処理システムの動作について述べる。図３は撮影の様子を模式的にあらわしたものであり、音楽会や学芸会などの屋内会場で行われるイベントを示している。会場１０は主に舞台１１と客席１２で構成されている。図３では舞台１１上に主被写体１３が存在する。客席１２から、撮影者は撮影装置１００により主被写体１３を撮影する。１００ａ、ｂ、ｃは客席１２の様々な位置から撮影する様子を示している。
【００２０】
図４は撮影装置１００の撮影動作を示すフローチャートである。撮影が開始されるとステップＳ１００１において動画情報である画像情報及び音声情報が撮影装置記録部１０７に記録される。その際、位置情報及び時間情報も同時に記録される。ステップＳ１００２において、操作部１０９から撮影終了の指示がなされると撮影を終了する。撮影終了の指示をされるまでステップＳ１００１に戻って動画記録が続けられる。ステップＳ１００３において、記録された動画情報が撮影装置通信部１１０を介しクラウドシステム２００に対し送信され撮影動作を終了する。クラウドシステム２００側では、受信した動画情報を一旦システム記録部２１１に記録する。同様に、同じ会場で同時期に他の撮影装置１００で撮影された動画情報も、クラウドシステム２００に送信されている。
【００２１】
次に図５のフローチャートを用いてクラウドシステム２００での音声信号処理の動作を説明する。ステップＳ１１０１においてユーザー端末３００のユーザー指示部３０１よりユーザーからの会場音声のリクエストの指示を受ける。ユーザー指示部３０１の指示はクラウドシステ２００のユーザー通信部２０３を介し音声制御部２０１に伝わる。
【００２２】
ステップＳ１１０２では、クラウドシステム２００上のクラウド記録部１１０２に、同じ会場で同時期に撮影された動画情報が複数あるかを判断する。例えば、会場１０で撮影動作を行う撮影装置１００が一台しかなかった場合は、システム記録部２１１には動画情報が一つしか記録されていない為ステップＳ１１１２に進む。そして、ステップＳ１１１２では読込んだ音声信号に対し合成などの音声信号処理を特に行わず、そのままの音声信号をユーザー通信部２０３に出力しステップＳ１１１１システムに進む。クラウド記録部２１１に複数の撮影装置１００で撮影された動画情報があればステップＳ１１０３に進む。ステップＳ１１０３ではクラウド記録部２１１より複数の動画情報を読込む。
【００２３】
次に、ステップＳ１１０４ではステップＳ１１０３読込んだ動画情報の複数の音声信号を合成処理することで、主被写体方向に指向性をもつ指向性音声を作成する。指向性音声の作成の詳細については後ほど述べる。
【００２４】
次に、ステップＳ１１０５では観客音検出部２０４において指向性音声前の元の音声信号に観客音が含まれているかを検出される。検出の手法としては、一定時間の音声信号に対しスペクトル解析を行い、拍手音や笑い声、歓声等の予め用意された音声のスペクトルと比較を行い、類似性が見られた場合は観客音として判断することが挙げられる。また、誤検出を避けるために、１つの撮影装置１００で取得された音声信号だけでなく、その他の複数の撮影装置で取得された音声信号から観客音が検出された時のみ、観客音が実際に含まれていると判断することが考えられる。
【００２５】
また、複数の撮影装置１００の仕様が異なる場合は、仕様が最も高機能な撮影装置を選択して、その音声信号のみを観客音検出に用いても良い。例えば、サンプリングレートが各撮影装置１００で異なる場合は、最もサンプリングレートが高い撮影装置の音声信号を用いる。
【００２６】
ステップＳ１１０５において観客音が検出されない場合は、ステップＳ１１１３に進み、ステップＳ１１０４で作成した指向性音声をそのままユーザー通信部２０３に出力し、ステップＳ１１１１に進む。一方、観客音が検出された場合は観客音が発生している時間を抽出しステップＳ１１０６に進む。
【００２７】
ステップＳ１１０６では、観客音選択部２０５によって、ステップＳ１１０５で検出された観客音に対応する音声を観客音データベース２０６から選択する。観客音データベース２０６には例えば、拍手音、笑い声、歓声などを再現した音声信号が予め用意されている。ステップＳ１１０６で観客音データベース２０６から選択された選択観客音信号は、観客音検出部２０４で抽出された観客音の時間長に調整され、音響特性制御部２０８に出力される。
【００２８】
一方、ステップＳ１１０７では、会場音響特性検索部２０７により観客音を撮影会場の音響特性に変換するための音響特性が検索される。まず、動画情報に付随した撮影時の撮影装置１００の位置情報から、撮影が行われた会場を特定する。そして、撮影会場の構造、広さに基づき、撮影会場での反響などを含む音響特性を推定し取得する。ここで述べる音響特性とは、入力音声信号に対しエコーなどの音声の変化を再現するデジタルフィルタのことを指す。また、撮影会場の構造、広さから音響特性を推定すると前述したが、予め様々な会場の音響特性が記録されている会場音響データベースが存在するならば、特定した会場の音響特性を会場音響データベースから取得しても良い。
【００２９】
次にステップＳ１１０８では、音響特性制御部２０８において観客音選択部２０５からの選択観客音に対しステップＳ１１０７で取得した会場音響特性を用いて変換される。具体的には、選択観客音信号に対し会場音響特性検索部２０７から得られたデジタルフィルタを掛ける。その結果、撮影された会場の音響特性を考慮した臨場感のある観客音が作成される。
【００３０】
次にステップＳ１１０９では指向性制御部２０３で作成された指向性音声信号の観客音が検出された時間範囲に、音響特性制御部２０８の変換観客音信号が合成され、ステップ１１１０で合成音声がユーザー通信部２０３に出力される。
【００３１】
ステップＳ１１１１では、ユーザー通信部を介し出力された音声信号とそれに同期した映像信号をユーザー端末３００に対し送信しフローを終了する。
【００３２】
ユーザー端末３００側では、受信した動画情報を再生装置３０２で再生し、ユーザーに提供する。
【００３３】
次に、図６を用いてステップＳ１１０４の指向性音声の作成について詳細を述べる。図６はステップＳ１１０４のサブルーチン内を示したフローチャートである。フローが開始すると、ステップＳ１２０１では読込んだ各動画情報内の時間情報に基づいて相関値を算出する区間を規定する。録画が行われている同時刻の音声信号の一定時間を相関値算出区間と規定される。音速は約３４０ｍ/ｓｅｃなので会場の広さを考慮して、お互いの撮影装置１００の音声信号の遅延量を最大０．５ｓｅｃ程度と想定すると、相関値算出区間は２ｓｅｃ程度の音声信号があればよい。
【００３４】
また、相関値算出区間は主被写体音が主に入っている時間である必要があるので、観客音検出部２０４で観客音が検出されなかった音声信号区間とする。図７は撮影装置１００ａ、ｂ、ｃの同時刻に撮影したそれぞれの音声信号を模式的にあらわしたものであり、図７（ａ）、（ｂ）、（ｃ）はそれぞれ撮影装置１００ａ、ｂ、ｃの音声信号に対応している。
【００３５】
横軸に時間を、縦軸に音声信号レベルを示している。４０１は主被写体音声であり、主被写体と各撮影装置が異なる距離にある為、それぞれ遅延が生じ、さらに音声レベルも異なる。４０３は観客席からの拍手音の区間であり、それぞれの図で大きさのレベルは異なるがほぼ同じタイミングで取得されている。撮影装置１００ａの主被写体音区間４０１の一定区間４０２ａを相関値算出区間と規定する。相関値算出区間４０２ｂ及び４０２ｃは４０２ａと同時刻である。
【００３６】
ステップＳ１２０２では、相関値算出区間の各音声信号により撮影装置お互いの距離と主被写体からの各遅延量を高精度に検出する。相関値による遅延量の算出方法は、参考文献１に示されているので詳細については省略する。取得した音声信号すべての区間について相関値を算出することは計算負荷が大きい為、ステップＳ１２０１において短時間の相関値算出区間４０２を規定し相関値を算出することで演算量の低減を図っている。
【００３７】
図７では相関値算出区間を一箇所しか示していないが、主被写体や撮影者が移動することを考慮して、一定時間ごとに相関値算出を行い、遅延量の再算出をしても良い。その場合、前述と同様に相関値算出区間は観客音検出２０４の結果より、観客音が検出されていない区間に設定することが必要である。
【００３８】
ステップＳ１２０３では、ステップＳ１２０２で算出した遅延量に基づき各撮影装置の音声信号を合成し、指向性音声を作成する。図８は作成された指向性音声信号の模式図である。主被写体音からの遅延量を考慮して合成することで合成後被写体音４０４は、合成前のそれぞれ図８（ａ）、（ｂ）、（ｃ）の被写体音に比べて音声レベルが大きくなっている。
【００３９】
また、合成後拍手音４０５は、それぞれの音声信号合成時に打ち消し合い音声レベルが小さくなっている。ステップＳ１２０３で指向性音声が作成されるとフローを終了する。
以上説明したように、本発明では複数の録音装置で録音を行い、各音声信号を合成することで特定方向に指向性を持たせる音声信号処理システムにおいて、会場内の観客音を検出し、予め用意した観客音を合成することを特徴としている。指向性を持たせたことにより打ち消されてしまっている観客音を、会場の音響特性を考慮して合成することにより、高品質かつ臨場感のある音声を提供することができる。
【符号の説明】
【００４０】
１００．撮影装置
１０１．撮影装置制御部
１０５．音声取得部
１０７．撮影装置記録部
１１０．撮影装置通信部
１１１．位置情報取得部
２００．クラウドシステム
２０１．音声処理制御部
２０２．撮影装置信号受信部
２０４．観客音検出部
２０７．会場音声特性検索部
２０８．音響特性制御部
２０９．音声合成部
２１０．指向性制御部
３００．ユーザー端末
【図１】
2015097318.tif 000003
【図２】
2015097318.tif 000004
【図３】
2015097318.tif 000005
【図４】
2015097318.tif 000006
【図５】
2015097318.tif 000007
【図６】
2015097318.tif 000008
【図７】
2015097318.tif 000009
【図８】
2015097318.tif 000010